(57)【要約】【課題】ケーシングの従来の構成を利用した簡単な設計の変更でケーシングと読取ユニットとの位置の決定、およびケーシングと読取ユニットとの組み付けが容易なセキュリティ装置の読取ユニット保持装置を提供する。【解決手段】読取ユニット２１をケーシング１３に取り付けるとき、読取ユニット２１の突出鍔部３１を傾斜案内部３５に沿わせることにより読取ユニット２１の位置が概略的に決定される。これとともに、ピン部３３が突出鍔部３１の孔４３に挿入されるので、さらに読取ユニット２１をケーシング１３側に押し込むとき、読取ユニット１２はピン部３３に案内される。そして、ケーシング１３側へ押し込まれた読取ユニット２１の突出鍔部３１が移動規制部３６を乗り越えると、突出鍔部３１と移動規制部３６を形成する爪部３４とは噛み合った状態となり、読取ユニット２１はケーシング１３に保持される。【選択図】図４
2012059935.tif 000002
【特許請求の範囲】
【請求項１】
外部記憶媒体が挿入される挿入口を有し、表面側が外部に露出するケーシングと、
前記ケーシングの裏面側に設けられ、前記挿入口を貫いて挿入された外部記憶媒体からデータを読み取る読取ユニットと、
を備えるセキュリティ装置において、前記ケーシングと前記読取ユニットとを保持する読取ユニット保持装置であって、
前記読取ユニットから前記外部記憶媒体の挿入方向に対し垂直に突出し、各端部に前記外部記憶媒体の挿入方向と平行に貫く孔を有する突出鍔部と、
前記ケーシングの前記裏面側から前記表面とは反対側へ立ち上がり、前記挿入口を挟んで一対設けられ、弾性変形可能な柱部と、
前記ケーシングの前記裏面側から前記表面とは反対側へ立ち上がり、前記柱部よりも前記挿入口に近い側において前記挿入口を挟んで一対設けられ、先端が前記孔に挿入されるピン部と、
前記柱部にそれぞれ設けられ、前記柱部の前記ケーシングとは反対側の端部から前記ピン部側へ突出する爪部と、
前記爪部の前記ケーシングとは反対側に設けられ、前記ケーシングに近い側ほど対向する前記爪部との間隔が縮小する傾斜面状に形成され、前記突出鍔部と接することにより、前記読取ユニットの前記ケーシング側への移動を案内する傾斜案内部と、
前記爪部の前記柱部と反対側の端部において前記ケーシング側の端部に設けられ、前記読取ユニットが前記ケーシングの前記裏面に接しているとき前記突出鍔部の前記ケーシングと反対側の面と接することにより、前記読取ユニットの前記ケーシングとは反対側への移動を規制する移動規制部と、を備え、
前記ピン部は、前記読取ユニットの前記ケーシングへの取り付けに際して、前記突出鍔部が前記傾斜案内部に接したとき、前記突出鍔部の前記ケーシング側の端面に接する高さ、または前記端面との間にわずかな隙間を形成する高さに設定され、
前記突出鍔部は、前記傾斜案内部に案内されつつ前記爪部を乗り越えて前記ケーシング側に移動すると、前記移動規制部と接して前記ケーシングと反対側への移動が規制されるセキュリティ装置の読取ユニット保持装置。
【請求項２】
前記爪部は、前記ケーシング側の端部に設けられている前記移動規制部と前記柱部との間に隙間を形成している請求項１記載のセキュリティ装置の読取ユニット保持装置。
【請求項３】
前記突出鍔部は、前記孔の前記ケーシング側の端部に接続し、前記ケーシング側ほど内径が拡大する円錐台孔を有する請求項１または２記載のセキュリティ装置の読取ユニット保持装置。
【発明の詳細な説明】
【技術分野】
【０００１】
本発明は、セキュリティ装置の読取ユニット保持装置に関する。
【背景技術】
【０００２】
セキュリティ装置は、所定区域への進入の可否を判断するために、所定区域への許可者が所有している外部記憶媒体の読み取りを行う。この外部記憶媒体は、ケーシングの挿入口に表面側から挿入され、ケーシングの裏面側に設けられている読取ユニットにおいて読み取られる。読取ユニットは、専用の回路基板などとともにケーシングとは別体に構成されている。そのため、セキュリティ装置の組み付け時において、読取ユニットは、ケーシングに取り付けられる。
【０００３】
従来、セキュリティ装置のケーシングは、裏面から表面と反対側に突出する筒部を有している。この筒部は、内側に雌ねじ部を有している。一方、読取ユニットは、外部記憶媒体の挿入方向に対し概ね垂直に突出する突出鍔部を有している。この突出鍔部は、ねじ部材を挿入可能な孔を有している。このような構成により、読取ユニットの突出鍔部を筒部に重ね、孔に挿入したねじ部材を筒部の雌ねじ部に締め付けることにより、読取ユニットはケーシングと一体に保持されている。この場合、読取ユニットには、挿入口を経由して外部記憶装置が挿入される。読取ユニットには外部記憶装置を押し込む力が加わるため、ケーシングに対する確実な保持が要求される。そのため、従来のセキュリティ装置の場合、ケーシングと読取ユニットとは二本のねじ部材によって保持されている。
【０００４】
しかしながら、従来のセキュリティ装置の場合、二本のねじ部材の締め付けを必要とするため、組み立て時の作業が煩雑となり工数の増大を招くという問題がある。一方、ケーシングと読取ユニットとの組付けを容易にするためのケーシングの形状の大幅な変更は、ケーシングの金型を含めたセキュリティ装置全体の設計変更などを招くという問題がある。
また、特許文献１に開示されているように、二つの部品をいわゆるスナップフィットによって保持することも考えられる。しかし、特許文献１の場合、一方のピンは他方の位置決め孔に挿入する必要があるため、煩雑な位置合わせ作業が必要となる。その結果、特許文献１の場合、従来のねじによる保持に対し、ねじを締め込む作業を削減できるにすぎない。
【先行技術文献】
【特許文献】
【０００５】
【特許文献１】特開２００４−２８１７２７号公報
【発明の概要】
【発明が解決しようとする課題】
【０００６】
そこで、本発明の目的は、ケーシングの従来の構成を利用した簡単な設計の変更でケーシングと読取ユニットとの位置の決定、およびケーシングと読取ユニットとの組み付けが容易なセキュリティ装置の読取ユニット保持装置を提供することにある。
【課題を解決するための手段】
【０００７】
請求項１記載の発明では、読取ユニットをケーシングに取り付けるとき、読取ユニットから突出する突出鍔部はケーシングの傾斜案内部に接する。傾斜案内部は、ケーシングの裏面側から立ち上がる柱部と一体の爪部において、ケーシングとは反対側に設けられている。傾斜案内部は、ケーシングに近い側ほど対向する爪部との間隔が縮小するように傾斜している。すなわち、対向する傾斜案内部の間隔は、ケーシング側ほど小さくなっている。そのため、読取ユニットをケーシングに取り付けるとき、読取ユニットの突出鍔部が傾斜案内部に接することにより、突出鍔部が設けられている読取ユニットは、ケーシング側へ押し付けられ、傾斜案内部によってケーシング側へ滑らかに案内される。また、このように傾斜案内部に突出鍔部が接したとき、ケーシングから立ち上がるピン部は、その先端が突出鍔部のケーシング側の端面と接する、またはわずかな隙間を形成する高さに設定されている。そのため、読取ユニットは、突出鍔部を傾斜案内部に接触させることにより、概略的な位置が決定されると同時に、突出鍔部の孔にピン部の先端が挿入された状態、またはわずかな移動で挿入される状態となる。これにより、そのまま読取ユニットをケーシング側へ押し込むことにより、読取ユニットは孔に挿入されたピン部によって位置が決定されつつケーシング側へ移動する。柱部は、弾性変形可能であるため、突出鍔部がケーシング側へ移動することにより間隔が拡大する。そして、突出鍔部が傾斜案内部を乗り越えると、爪部の先端に設けられた移動規制部が突出鍔部のケーシングと反対側の面に接する。その結果、読取ユニットの突出鍔部は、ケーシングの柱部に設けられている爪部に引っ掛かり、ケーシングと反対側への移動が規制される。このように、読取ユニットをケーシングに取り付けるとき、読取ユニットの突出鍔部を傾斜案内部にあわせることにより読取ユニットの位置が決定され、さらに読取ユニットを押し込むことによりピン部は突出鍔部の孔に挿入される。これとともに、突出鍔部と移動規制部とは噛み合った状態となり、読取ユニットはケーシングに保持される。したがって、ケーシングと読取ユニットとの位置の決定、およびケーシングと読取ユニットとの組み付けを容易にすることができる。これとともに、挿入口を経由して挿入された外部記憶媒体によって読取ユニットに力が加わっても、読取ユニットをケーシングに対し強固に保持することができる。
【０００８】
さらに、請求項１記載の発明では、ケーシングの従来の構成が利用可能である。具体的には、従来のケーシングは、読取ユニットの突出鍔部を貫くねじ部材が取り付けられる筒部を有している。筒部は、ケーシングの裏面側から立ち上がっている。請求項１記載の発明では、この筒部の構成を利用してピン部を形成し、さらにピン部の外側に一体の柱部、爪部、傾斜案内部および移動規制部を形成する。そのため、請求項１記載の発明は、ケーシングおよび挿入口の位置に設計の変更を加える必要がない。したがって、ケーシングの従来の構成を利用した簡単な設計の変更でケーシングと読取ユニットとの位置の決定、およびケーシングと読取ユニットとの組み付けを容易にすることができる。
【０００９】
請求項２記載の発明では、爪部は、ケーシング側の移動規制部と柱部との間に隙間を形成している。これにより、傾斜案内部に案内されつつケーシング側へ移動した突出鍔部は、柱部から離れた移動規制部と接する。そのため、突出鍔部は、移動規制部と噛み合った状態となり、ケーシングと反対側への移動が規制される。すなわち、突出鍔部は、移動規制部にいわゆるはめ殺し状態で組み付けられる。さらに、このとき、突出鍔部にケーシングから遠ざかる方向に力が加わると、爪部には柱部との間の隙間を拡大する方向のモーメントが生じる。この爪部に生じるモーメントにより、ケーシングとは反対側の先端に爪部を一体に有する柱部は、対向する柱部間の間隔が縮小する方向のモーメントが生じる。その結果、読取ユニットへ外部記憶媒体が押し込まれると、柱部は互いの間隔が縮小し、移動規制部は突出鍔部にケーシング側の力を加える。これにより、外部記憶媒体の挿入によって読取ユニットにケーシングから遠ざかる方向の力が加わっても、読取ユニットはケーシングから遠ざかる移動が規制される。したがって、読取ユニットとケーシングとを強固に保持することができる。また、この場合でも、ケーシングの大幅な設計の変更は必要としない。
【００１０】
請求項３記載の発明では、突出鍔部は、孔のケーシング側の端部に円錐台孔を有している。円錐台孔は、突出鍔部の孔のケーシング側に接続している。これにより、読取ユニットをケーシングに取り付けるとき、ケーシングから立ち上がるピン部は、突出鍔部の円錐台孔に案内されて孔へ挿入される。そのため、読取ユニットをケーシングに取り付けるとき、突出鍔部とケーシングとの位置を大まかに決定する場合でも、ピン部は孔へ滑らかに案内される。したがって、ケーシングと読取ユニットとの位置の決定、およびケーシングと読取ユニットとの組み付けを容易にすることができる。
【図面の簡単な説明】
【００１１】
【図１】セキュリティ装置の概略を示す模式的な断面図
【図２】図１の矢印ＩＩ方向から見た矢視図
【図３】図１の矢印III方向からケーシングを見た矢視図
【図４】第１実施形態による読取ユニット保持装置を模式的に示す概略斜視図
【図５】第１実施形態による読取ユニット保持装置を模式的に示す概略図
【図６】第１実施形態による読取ユニット保持装置を模式的に示す概略図であって、読取ユニットとケーシングとが離れている状態を示す図
【図７】第１実施形態による読取ユニット保持装置を模式的に示す概略図であって、読取ユニットの突出鍔部が傾斜案内部の一方に接した状態を示す図
【図８】第１実施形態による読取ユニット保持装置を模式的に示す概略図であって、読取ユニットの突出鍔部が傾斜案内部の双方に接した状態を示す図
【図９】第２実施形態による読取ユニット保持装置を示す図５に相当する図
【図１０】第２実施形態による読取ユニット保持装置における柱部および爪部の変形を説明するための概略図
【図１１】第３実施形態による読取ユニット保持装置の突出鍔部を示す模式的な断面図
【発明を実施するための形態】
【００１２】
以下、複数の実施形態の読取ユニット保持装置を適用したセキュリティ装置を図面に基づいて説明する。なお、複数の実施形態において実質的に同一の構成部位には同一の符号を付し、説明を省略する。
（セキュリティ装置）
まず、複数の実施形態について共通のセキュリティ装置の概略について説明する。図１に示すようにセキュリティ装置１０は、本体１１を備えている。セキュリティ装置１０は、例えば家屋の壁１２や扉などに埋め込まれ、一部が外部に露出している。本体１１は、家屋の壁１２や扉に露出するケーシング１３と、ケーシング１３から奥側に伸びる収容ケース１４を有している。ケーシング１３は、板状に形成され、表面１６側が壁１２や扉から露出している。収容ケース１４は、ケーシング１３の裏面１７側から壁１２や扉の内側に伸びる容器状に形成されている。収容ケース１４は、ケーシング１３と接続しており、ケーシング１３との間に収容室１８を形成している。セキュリティ装置１０は、読取ユニット２１および回路基板２２を備えている。読取ユニット２１および回路基板２２は、収容室１８に収容されている。ケーシング１３は、収容ケース１４の端部に例えば嵌合などによって一体に取り付けられている。
【００１３】
ケーシング１３は、図１および図２に示すように挿入口２３を有している。挿入口２３は、ケーシング１３を板厚方向に貫いている。すなわち、挿入口２３は、ケーシング１３を表面１６側から裏面１７側へ貫いている。この挿入口２３においてケーシング１３の裏面１７側には、読取ユニット２１が配置されている。読取ユニット２１は、図１に示すように例えばスティックキーなどの外部記憶媒体２４との間でデータの読み取り、またはデータの書き込みを行う。読取ユニット２１は、収容室１８の回路基板２２と電気的に接続されており、外部記憶媒体２４から読み取ったデータを回路基板２２に出力する。
【００１４】
挿入口２３の形状は、外部記憶媒体２４の断面よりもやや大きく形成されている。これにより、外部記憶媒体２４は、ケーシング１３の挿入口２３を経由して読取ユニット２１に挿入される。挿入された外部記憶媒体２４は、読取ユニット２１によってデータの読み取りが行われる。ケーシング１３は、例えば図２に示すように正面視において挿入口２３の上方に入力キー２５と、挿入口２３の左方にスピーカ穴２６を有している。図２に示すように、入力キー２５の裏面１７側には、回路基板２２が設けられている。これにより、表面１６側から入力キー２５を操作すると、その操作は回路基板２２の図示しないスイッチに入力される。また、スピーカ穴２６の裏面１７側には、図３に示すようにスピーカ２７が設けられている。スピーカ２７から発生した音声は、スピーカ穴２６を経由してケーシング１３の外部へ放出される。
【００１５】
（第１実施形態）
次に、第１実施形態による読取ユニット保持装置３０について説明する。
読取ユニット保持装置３０は、ケーシング１３と読取ユニット２１とを保持する。読取ユニット保持装置３０は、図３および図４に示すように突出鍔部３１、柱部３２、ピン部３３、爪部３４、傾斜案内部３５および移動規制部３６を備えている。突出鍔部３１は、図４に示すように読取ユニット２１に設けられている。この突出鍔部３１は、読取ユニット２１への外部記憶媒体２４の挿入方向に対し、読取ユニット２１から垂直に突出している。突出鍔部３１は、挿入方向に対し直角に交差する長方形の板状に形成されている。突出鍔部３１は、図５に示すようにケーシング１３側の端面４１と、収容室１８側の端面４２とを有している。また、突出鍔部３１は、外部記憶媒体２４の挿入方向と平行に貫く孔４３を有している。この孔４３は、板状の突出鍔部３１を板厚方向へ貫いている。すなわち、孔４３は、突出鍔部３１の端面４１と端面４２とを接続している。孔４３は、長方形の板状に形成された突出鍔部３１において長手方向の各端部の近傍に設けられている。なお、突出鍔部３１は、長方形状に限らず、例えば円環板状に形成してもよい。
【００１６】
柱部３２、ピン部３３、爪部３４、傾斜案内部３５および移動規制部３６は、ケーシング１３と樹脂で一体に成形されている。また、柱部３２、爪部３４、傾斜案内部３５および移動規制部３６も、樹脂で一体に成形されている。柱部３２は、ケーシング１３の裏面１７側から表面１６とは反対側すなわち収容室１８側へ概ね垂直に立ち上がっている。ここで、本明細書および請求の範囲における垂直とは、厳密な垂直ではなく、通常許容できる程度の誤差を含むものとする。柱部３２は、挿入口２３を挟んで一対設けられている。これにより、柱部３２は、外部記憶媒体２４の挿入方向に対して垂直な方向において挿入口２３の両端部にそれぞれ設けられている。すなわち、柱部３２は、挿入口２３の端部にそれぞれ一本ずつ設けられている。柱部３２は、ケーシング１３と樹脂で一体に成形されており、対向する間隔が可変な程度に弾性変形可能である。そのため、柱部３２は、挿入口２３側すなわち内側から力が加わると外側へ変形し、内側からの力が解除されると元の位置に復帰する。
【００１７】
ピン部３３は、柱部３２と同様にケーシング１３の裏面１７側から表面１６とは反対側すなわち収容室１８側へ概ね垂直に立ち上がっている。ピン部３３は、柱部３２よりも挿入口２３に近い側において挿入口２３を挟んで一対設けられている。これにより、ピン部３３は、柱部３２よりも挿入口２３に近い内側において、挿入口２３の両端部にそれぞれ設けられている。すなわち、ピン部３３は、挿入口２３の端部において柱部３２よりも内側にそれぞれ一本ずつ設けられている。このピン部３３は、突出鍔部３１に設けられている孔４３に挿入される。
【００１８】
爪部３４は、柱部３２と一体に設けられている。爪部３４は、一対の柱部３２のそれぞれに設けられている。爪部３４は、柱部３２のケーシング１３とは反対側の端部からピン部３３側すなわち挿入口２３側へ突出している。そして、傾斜案内部３５は、この爪部３４のケーシング１３と反対側すなわち収容室１８側に設けられている。傾斜案内部３５も、各柱部３２と一体の爪部３４にそれぞれ設けられている。傾斜案内部３５は、傾斜面状に形成されている。これにより、傾斜案内部３５は、ケーシング１３に近い側ほど対向する爪部３４との間隔が縮小する。
【００１９】
傾斜案内部３５は、先端側ほど、すなわちケーシング１３と反対側ほど対向する爪部３４との間隔が大きくなる。この傾斜案内部３５のケーシング１３と反対側において対向する間隔は、読取ユニット２１の突出鍔部３１の長手方向の全長よりも大きい。一方、傾斜案内部３５のケーシング１３側において対向する間隔は、読取ユニット２１の突出鍔部３１の長手方向の全長よりも小さい。そのため、読取ユニット２１の突出鍔部３１を一対の傾斜案内部３５に接触させると、突出鍔部３１の端部はいずれも傾斜案内部３５の途中に位置する。これにより、突出鍔部３１と傾斜案内部３５とが接した状態で読取ユニット２１をケーシング１３側に押し付けると、読取ユニット２１は突出鍔部３１の両端部が傾斜案内部３５に案内されながらケーシング１３側へ移動する。
【００２０】
移動規制部３６は、爪部３４と一体に設けられている。移動規制部３６は、一対の爪部３４のそれぞれに設けられている。移動規制部３６は、爪部３４においてケーシング１３側の端部に設けられている。この移動規制部３６は、読取ユニット２１がケーシング１３の裏面１７に接しているとき、突出鍔部３１のケーシング１３と反対側すなわち収容室１８側の端面４２に接する。これにより、移動規制部３６は、突出鍔部３１をケーシング１３側へ押し付け、読取ユニット２１の収容室１８側への移動を規制する。
【００２１】
上述の構成による読取ユニット保持装置３０による読取ユニット２１の組み付けについて説明する。
上述のように傾斜案内部３５は、ケーシング１３側ほど対向する間隔が縮小している。そのため、図６に示すように読取ユニット２１をケーシング１３に取り付けるとき、読取ユニット２１の突出鍔部３１は、図７に示すように一対の傾斜案内部３５の中間において傾斜案内部３５に接する。このとき、突出鍔部３１は、一対の傾斜案内部３５のうち少なくともいずれか一方に接する。このように、突出鍔部３１が一方の傾斜案内部３５に接すると、突出鍔部３１は一方の傾斜案内部３５に沿って移動する。そして、図８に示すようにし、突出鍔部３１は、両端部が一対の傾斜案内部３５の双方に接するまでケーシング１３側へ移動する。そして、図８に示す状態、すなわち突出鍔部３１の両端部が傾斜案内部３５の双方に接すると、読取ユニット２１はケーシング１３側への移動が規制される。すなわち、読取ユニット２１は、突出鍔部３１が傾斜案内部３５に接することにより、その取付位置が概略的に決定される。
【００２２】
図８に示すように読取ユニット２１の突出鍔部３１の両端部が傾斜案内部３５に接しているとき、ピン部３３は突出鍔部３１の端面４１に接する高さ、またはこの端面４１との間にわずかな隙間を形成する高さに設定されている。そのため、ピン部３３は、読取ユニット２１の突出鍔部３１が傾斜案内部３５の双方に接しているとき、先端が突出鍔部３１の孔４３にわずかに挿入された状態、またはわずかな移動で挿入される状態となっている。
【００２３】
この図８に示す状態のとき、読取ユニット２１をさらにケーシング１３側へ押し付けると、突出鍔部３１から傾斜案内部３５にケーシング１３方向の力が加わる。傾斜案内部３５は、突出鍔部３１に加わる力の向きに対して傾斜している。そのため、突出鍔部３１から力が加わると、外側すなわち互いの間隔が拡大する方向へ変形する。そして、突出鍔部３１は、爪部３４の間隔が拡大するように柱部３２を変形させつつ、爪部３４をケーシング１３側へ乗り越える。このとき、ピン部３３は、すでに突出鍔部３１の孔４３に挿入されている。そのため、読取ユニット２１は、傾斜案内部３５に加え、突出鍔部３１の孔４３に挿入されたピン部３３に案内されつつケーシング１３側へ移動する。
【００２４】
読取ユニット２１の突出鍔部３１が爪部３４のケーシング１３側の端部を乗り越え、図５に示すように読取ユニット２１がケーシング１３の裏面１７に接する位置に到達すると、爪部３４のケーシング１３側に位置している移動規制部３６は突出鍔部３１の端面４２に接する。その結果、爪部３４と突出鍔部３１とが噛み合った状態となり、読取ユニット２１は収容室１８側への移動が規制される。
【００２５】
以上説明した第１実施形態では、読取ユニット２１をケーシング１３に取り付けるとき、読取ユニット２１から突出する突出鍔部３１はケーシング１３の傾斜案内部３５に接する。対向する傾斜案内部３５の間隔は、ケーシング１３側ほど小さくなっている。そのため、読取ユニット２１をケーシング１３に取り付けるとき、読取ユニット２１の突出鍔部３１が傾斜案内部３５に接することにより、突出鍔部３１が設けられている読取ユニット２１は、ケーシング１３側へ押し付けられ、傾斜案内部３５によってケーシング１３側へ滑らかに案内される。また、このように傾斜案内部３５に突出鍔部３１が接したとき、ケーシング１３から立ち上がるピン部３３は、その先端が突出鍔部３１のケーシング１３側の端面４１と接する高さ、またはわずかな隙間を形成する高さに設定されている。そのため、読取ユニット２１は、突出鍔部３１を傾斜案内部３５に接触させることにより、概略的な位置が決定されると同時に、突出鍔部３１の孔４３にピン部３３の先端がほぼ挿入された状態となる。これにより、そのまま読取ユニット２１をケーシング１３側へ押し込むことにより、読取ユニット２１は孔４３に挿入されたピン部３３によって位置が決定されつつケーシング１３側へ移動する。柱部３２は、弾性変形可能であるため、突出鍔部３１が傾斜案内部３５に沿ってケーシング１３側へ移動するとき、その間隔が拡大する。そして、突出鍔部３１が傾斜案内部３５を乗り越えると、爪部３４の先端に設けられた移動規制部３６が突出鍔部３１のケーシング１３と反対側の端面４２に接する。その結果、読取ユニット２１の突出鍔部３１は、ケーシング１３の柱部３２に設けられている爪部３４に引っ掛かり、ケーシング１３と反対側への移動が規制される。このように、読取ユニット２１をケーシング１３に取り付けるとき、読取ユニット２１の突出鍔部３１を傾斜案内部３５に沿わせることにより読取ユニット２１の位置が概略的に決定され、さらに読取ユニット２１をケーシング１３側へ押し込むことによりピン部３３は突出鍔部３１の孔４３に挿入される。これとともに、突出鍔部３１と移動規制部３６を形成する爪部３４とは噛み合った状態となり、読取ユニット２１はケーシング１３に保持される。したがって、ケーシング１３と読取ユニット２１との位置の決定、およびケーシング１３と読取ユニット２１との組み付けを容易にすることができる。これとともに、挿入口２３を経由して挿入された外部記憶媒体２４によって読取ユニット２１に収容室１８方向の力が加わっても、読取ユニット２１はケーシング１３に対し強固に保持することができる。
【００２６】
さらに、第１実施形態では、ケーシング１３の従来の構成が利用可能である。すなわち、第１実施形態では、従来ケーシング１３をねじ止めするための雌ねじが設けられている筒部の構成を利用してピン部３３を形成し、さらにピン部３３の外側に一体の柱部３２、爪部３４、傾斜案内部３５および移動規制部３６を形成する。そのため、第１実施形態では、ケーシング１３の設計および挿入口２３の位置に大幅な変更を加える必要がない。したがって、ケーシング１３の従来の構成を利用した簡単な設計の変更でケーシング１３と読取ユニット２１との位置の決定、およびケーシング１３と読取ユニット２１との組み付けを容易にすることができる。
【００２７】
（第２実施形態）
第２実施形態による読取ユニット保持装置を図９に示す。
第２実施形態の場合、図９に示すように爪部３４は、ケーシング１３側の端部に設けられている移動規制部３６と柱部３２との間に隙間を形成している。そのため、爪部３４は、柱部３２とは独立して変形可能である。このように、爪部３４のケーシング１３側の端部において柱部３２との間に隙間を形成することにより、傾斜案内部３５に案内されつつケーシング１３側へ移動した突出鍔部３１は、柱部３２から離れた位置にある移動規制部３６と接する。これにより、突出鍔部３１は、移動規制部３６が設けられた爪部３４と噛み合った状態となり、ケーシング１３と反対側への移動が規制される。すなわち、突出鍔部３１は、移動規制部３６が設けられた爪部３４にいわゆるはめ殺し状態で組み付けられる。
【００２８】
このように移動規制部３６が設けられた爪部３４と突出鍔部３１とが噛み合った状態のとき、図１０に示すように読取ユニット２１にケーシング１３から遠ざかる方向の力すなわち収容室１８側へ押し込む力Ｆａが加わると、爪部３４には柱部３２側の付け根を支点としたケーシング１３から遠ざかる方向のモーメント、すなわち収容室１８側へのモーメントＭａが生じる。この爪部３４に生じるモーメントＭａにより、ケーシング１３とは反対側の先端に爪部３４を一体に有する柱部３２は、ケーシング１３側の付け根を支点として対向する柱部３２間の間隔が縮小する方向のモーメントＭｂが生じる。その結果、読取ユニット２１へ外部記憶媒体２４が押し込まれると、柱部３２には互いの間隔が縮小する方向の力Ｆｂが加わる。これにより、読取ユニット２１へ外部記憶媒体２４が押し込まれると、爪部３４は突出鍔部３１をよりケーシング１３側へ締め付け、読取ユニット２１は収容室１８側への移動がより大きな力で規制される。
【００２９】
読取ユニット２１は、ケーシング１３の挿入口２３を経由して外部記憶媒体２４が挿入される。このとき、外部記憶媒体２４から読取ユニット２１には、読取ユニット２１を収容室１８側へ押し込む方向へ大きな力が加わる。一方、読取ユニット２１と移動規制部３６が設けられた爪部３４とが噛み合う力が小さい場合、読取ユニット２１へ外部記憶媒体２４を挿入するとき、読取ユニット２１は収容室１８側へわずかに移動する。また、押し込まれた外部記憶媒体２４を読取ユニット２１から引き抜くときも、読取ユニット２１はケーシング１３側へわずかに移動する。そのため、外部記憶媒体２４を扱うユーザは、読取ユニット２１のわずかな移動をがたつきとして不快に感じるおそれがある。
【００３０】
これに対し、第２実施形態のように移動規制部３６と柱部３２との間に隙間を形成することにより、外部記憶媒体２４が読取ユニット２１へ押し込まれたとき、柱部３２は互いの間隔が縮小し、移動規制部３６から突出鍔部３１にはケーシング１３側への力が加わる。これにより、外部記憶媒体２４の挿入によって読取ユニット２１にケーシング１３から遠ざかる方向の力が加わっても、読取ユニット２１はケーシング１３から遠ざかる方向への移動が規制される。したがって、読取ユニット２１とケーシング１３とを強固に保持することができ、ユーザに与える不快な手応えも低減することができる。また、この場合でも、爪部３４の形状をわずかに変更するだけであるので、ケーシング１３の大幅な設計の変更は必要としない。
【００３１】
（第３実施形態）
第３実施形態による読取ユニット保持装置を図１１に示す。
第３実施形態の場合、図１１に示すように突出鍔部３１は、円錐台孔５１を有している。円錐台孔５１は、突出鍔部３１の端面４１側に位置している。具体的には、円錐台孔５１は、孔４３のケーシング１３側の端部に接続している。そして、円錐台孔５１は、ケーシング１３側ほど内径が拡大している。
【００３２】
第３実施形態では、読取ユニット２１をケーシング１３に取り付けるとき、ケーシング１３から立ち上がるピン部３３は、突出鍔部３１の円錐台孔５１に案内されて孔４３へ挿入される。そのため、読取ユニット２１をケーシング１３に取り付けるとき、突出鍔部３１とケーシング１３との位置を大まかに決定する場合でも、ピン部３３は孔４３へ滑らかに案内される。したがって、ケーシング１３と読取ユニット２１との位置の決定、およびケーシング１３と読取ユニット２１との組み付けを容易にすることができる。
【００３３】
以上説明した本発明は、上記実施形態に限定されるものではなく、その要旨を逸脱しない範囲で種々の実施形態に適用可能である。
【符号の説明】
【００３４】
図面中、１０はセキュリティ装置、１３はケーシング、１６は表面、１７は裏面、２１は読取ユニット、２３は挿入口、２４は外部記憶媒体、３０は読取ユニット保持装置、３１は突出鍔部、３２は柱部、３３はピン部、３４は爪部、３５は傾斜案内部、３６は移動規制部、４３は孔、５１は円錐台孔を示す。
【図１】
2012059935.tif 000003
【図２】
2012059935.tif 000004
【図３】
2012059935.tif 000005
【図４】
2012059935.tif 000006
【図５】
2012059935.tif 000007
【図６】
2012059935.tif 000008
【図７】
2012059935.tif 000009
【図８】
2012059935.tif 000010
【図９】
2012059935.tif 000011
【図１０】
2012059935.tif 000012
【図１１】
2012059935.tif 000013